(57)【特許請求の範囲】
【請求項１】
ＩＰ電話交換機、無線ＩＰ電話機、及び無線ＬＡＮアクセスポイントを有し、無線ＬＡＮを介して電話機能を提供するＩＰ電話ネットワークシステムにおいて
前記無線ＬＡＮアクセスポイントは、複数のサービスセット識別子（ＳＳＩＤ）を有し且つその複数のＳＳＩＤに個別に割り当てられた回線を介して前記ＳＳＩＤ毎に任意の前記無線ＩＰ電話機のみを接続する無線インターフェイス手段と、前記ＳＳＩＤ毎に任意で設定された帯域以下に通信量を制限する帯域制御手段と、前記無線ＩＰ電話機を前記複数のＳＳＩＤのうちの任意のＳＳＩＤに対応する回線へ接続させることを指示する接続先指示手段と、前記ＩＰ電話交換機へ前記ＳＳＩＤに対応する回線に接続している前記無線ＩＰ電話機の情報を送る手段と、前記ＩＰ電話交換機からの指示により前記接続先指示手段を発動する手段とを有し、
前記ＩＰ電話交換機は、前記無線ＬＡＮアクセスポイントから送信される前記無線ＩＰ電話機の情報を格納する格納手段と、呼制御を行う前記無線ＩＰ電話機が接続している前記無線ＬＡＮアクセスポイントでの前記複数のＳＳＩＤのうちの空きＳＳＩＤを検出する空きＳＳＩＤ検出手段と、呼制御を行う前記無線ＩＰ電話機が接続している前記無線ＬＡＮアクセスポイントに前記無線ＬＡＮアクセスポイントの接続先指示手段を発動させる指示を出す手段とを有し、
前記無線ＩＰ電話機は、前記無線ＬＡＮアクセスポイントから指示された前記任意のＳＳＩＤに対応する回線へ再接続する再接続手段を有することを特徴とする無線ＬＡＮを利用したＩＰ電話ネットワークシステム。
【請求項２】
前記ＩＰ電話交換機は、前記無線ＩＰ電話機に対して使用中ＳＳＩＤを通知する手段を有し、
前記無線ＩＰ電話機は、前記ＳＳＩＤに関連づけされた表示手段と、前記ＩＰ電話交換機からの前記使用中ＳＳＩＤ通知を受信した場合、前記表示手段を点灯させる手段とを有することを特徴とする請求項１に記載のＩＰ電話ネットワークシステム。
【請求項３】
前記無線ＩＰ電話機は、前記ＳＳＩＤに関連づけされた無線内線ボタンと、前記無線ＬＡＮアクセスポイントからの接続指示を受信した場合、前記無線内線ボタンを点灯させる手段と、前記無線内線ボタンが押下されると、該当するＳＳＩＤに対応する回線を前記ＩＰ電話交換機に要求する手段とを有し、
前記ＩＰ電話交換機は、前記無線ＩＰ電話機からの前記回線要求を受信する手段を有することを特徴とする請求項１または請求項２に記載のＩＰ電話ネットワークシステム。
【請求項４】
前記無線インターフェイス手段は、複数の無線ＬＡＮインターフェイスを有し、各無線ＬＡＮアクセスポイントにＳＳＩＤを割り当てていることを特徴とする請求項１に記載のＩＰ電話ネットワークシステム。
【請求項５】
前記無線インターフェイス手段は、一つまたは複数の通話回線用のＳＳＩＤと待機収容用のＳＳＩＤとを有していることを特徴とする請求項１から４のいずれか１項に記載のＩＰ電話ネットワークシステム。
【請求項６】
ＩＰ電話交換機、無線ＩＰ電話機、及び無線ＬＡＮアクセスポイントを有し、無線ＬＡＮを介して電話機能を提供するＩＰ電話ネットワークシステムの回線捕捉方法において
前記無線ＬＡＮアクセスポイントが、複数のサービスセット識別子（ＳＳＩＤ）に個別に割り当てられた回線を介して前記ＳＳＩＤ毎に任意の前記無線ＩＰ電話機のみを接続するステップと、
前記無線ＬＡＮアクセスポイントが、前記ＳＳＩＤ毎に任意で設定された帯域以下に通信量を制限するステップと、
前記無線ＬＡＮアクセスポイントが、前記ＩＰ電話交換機へ前記ＳＳＩＤに対応する回線に接続している前記無線ＩＰ電話機の情報を送るステップと、
前記ＩＰ電話交換機が、前記無線ＬＡＮアクセスポイントから送信される前記無線ＩＰ電話機の情報を格納するステップと、
前記ＩＰ電話交換機が、呼制御を行う前記無線ＩＰ電話機が接続している前記無線ＬＡＮアクセスポイントでの前記複数のＳＳＩＤのうちの空きＳＳＩＤを検出するステップとと、
前記ＩＰ電話交換機が、呼制御を行う前記無線ＩＰ電話機が接続している前記無線ＬＡＮアクセスポイントに所定の指示を出すステップと、
前記無線ＬＡＮアクセスポイントが、前記ＩＰ電話交換機からの前記指示により前記無線ＩＰ電話機を前記複数のＳＳＩＤのうちの任意のＳＳＩＤに対応する回線へ接続させることを指示するステップと、
前記無線ＩＰ電話機が、前記無線ＬＡＮアクセスポイントから指示された前記任意のＳＳＩＤに対応する回線へ再接続するステップとを有することを特徴とする無線ＬＡＮを利用したＩＰ電話ネットワークシステムの回線捕捉方法。
【請求項７】
前記ＩＰ電話交換機が、前記無線ＩＰ電話機に対して使用中ＳＳＩＤを通知するステップと、
前記無線ＩＰ電話機が、前記ＩＰ電話交換機からの前記使用中ＳＳＩＤ通知を受信した場合、前記ＳＳＩＤに関連づけされた表示手段を点灯させるステップとをさらに有することを特徴とする請求項６に記載の無線ＬＡＮを利用したＩＰ電話ネットワークシステムの回線捕捉方法。
【請求項８】
前記無線ＩＰ電話機が、前記無線ＬＡＮアクセスポイントからの接続指示を受信した場合、前記ＳＳＩＤに関連づけされた無線内線ボタンを点灯させるステップと、
前記無線ＩＰ電話機が、前記無線内線ボタンが押下されると、該当するＳＳＩＤに対応する回線を前記ＩＰ電話交換機に要求するステップと、
前記ＩＰ電話交換機が、前記無線ＩＰ電話機からの前記回線要求を受信するステップとをさらに有することを特徴とする請求項６または請求項７に記載の無線ＬＡＮを利用したＩＰ電話ネットワークシステムの回線捕捉方法。
【発明の詳細な説明】
【技術分野】
【０００１】
本発明は、無線ＬＡＮ（Local Area Network）を利用したＩＰ電話ネットワークシステム及びその回線捕捉方法に関する。
【背景技術】
【０００２】
ＩＥＥＥ(Institute of Electrical and Electronic Engineers)８０２．１１で規格化されている無線ＬＡＮのアクセスポイントを利用し、ＩＰ（インターネットプロトコル）を利用して電話機能を提供するＩＰ電話ネットワークシステムが知られている。このＩＰ電話システムは、無線ＬＡＮのネットワークの回線速度に関し、ベストエフォート型（best effort）と呼ばれる通信サービスが保証されない通信形態である。そのため、各無線端末は、一定の回線速度で通信することができず、さらに無線端末と通話数が増加するに従い、通信品質（通話品質）が劣化するという課題がある。
【０００３】
また、回線速度を保つ方法として、接続可能な無線端末を制限するＭＡＣ（Media Access Control）フィルタを制御する方法や、接続台数を制御する方法がある。しかしながら、前者は、あらかじめ接続する端末のＭＡＣアドレスを登録する必要があり、それ以外は接続できないため、利便性に欠けるという課題がある。また、後者は、任意かつ固定数の端末が接続すると、それ以上は接続できなくなるが、通話時の帯域を基準にした場合、接続可能台数が少なくなるという課題がある。更には、このような課題に関わらず、ＩＰ電話交換機が通話を成立（呼制御）させるために通話の制御信号が繋がっても、音声のデータが十分な帯域が得られず音声が聞き取れない等のＱｏＳ（Quality Of Service）が提供できていないという課題もある。
【０００４】
一方、ＩＰ電話以外の一般的な電話の技術においては、通話可能な回線数が決まっており、その回線数を超えた通話は交換機側で成立させず、通話中を示すビジートーン（Ｂｕｓｙ  Ｔｏｎｅ：話中音）を発信側端末に流す手法がある。
【０００５】
なお、本発明に関連する先行技術文献としては、以下のものがある。
【特許文献１】特開２００３−１１０５６７号公報
【特許文献２】特開２００５−０９４１６４号公報
【特許文献３】特開２００５−１３００６９号公報
【特許文献４】特開２００５−１４２８１１号公報
【発明の開示】
【発明が解決しようとする課題】
【０００６】
従って、ＩＥＥＥ８０２．１１で規格化されている無線ＬＡＮは、ベストエフォート型の通信が一般的であるため、無線ＬＡＮを利用した無線ＩＰ電話システムにおいては、無線ＩＰ電話機を複数収容し、無線ＩＰ電話機が一斉に通話した場合にＱｏＳが低下する課題がある。このことは、前述した特許文献１〜４においても同様である。
【０００７】
上記の課題は、ＩＰ電話交換機が無線ネットワークの帯域で通話可能な通信量を考慮していないことに起因している。その対策として、ＩＰ電話交換機、ＩＰ電話機、無線ＬＡＮアクセスポイントを含むＩＰ電話ネットワークシステムにより解決することが望まれている。
【０００８】
本発明は、このような従来の事情を考慮してなされたもので、無線ネットワークの帯域幅に対して適切な通話数の範囲で通話を制御するＩＰ電話ネットワークシステムを提供することを目的とする。
【課題を解決するための手段】
【０００９】
上記を解決するために、本発明に係る無線ＬＡＮを利用したＩＰ電話ネットワークシステムは、ＩＰ電話交換機、無線ＩＰ電話機、及び無線ＬＡＮアクセスポイントを有し、無線ＬＡＮを介して電話機能を提供する。
【００１０】
前記無線ＬＡＮアクセスポイントは、複数のサービスセット識別子（ＳＳＩＤ）を有しし且つその複数のＳＳＩＤに個別に割り当てられた回線を介して前記ＳＳＩＤ毎に任意の前記無線ＩＰ電話機のみを接続する無線インターフェイス手段と、前記ＳＳＩＤ毎に任意で設定された帯域以下に通信量を制限する帯域制御手段と、前記無線ＩＰ電話機を前記複数のＳＳＩＤのうちの任意のＳＳＩＤに対応する回線へ接続させることを指示する接続先指示手段と、前記ＩＰ電話交換機へ前記ＳＳＩＤに対応する回線に接続している前記無線ＩＰ電話機の情報を送る手段と、前記ＩＰ電話交換機からの指示により前記接続先指示手段を発動する手段とを有する。
【００１１】
前記ＩＰ電話交換機は、前記無線ＬＡＮアクセスポイントから送信される前記無線ＩＰ電話機の情報を格納する格納手段と、呼制御（呼を接続する）を行う前記無線ＩＰ電話機が接続している前記無線ＬＡＮアクセスポイントでの前記複数のＳＳＩＤのうちの空きＳＳＩＤを検出する空きＳＳＩＤ検出手段と、呼制御を行う前記無線ＩＰ電話機が接続している前記無線ＬＡＮアクセスポイントに前記無線ＬＡＮアクセスポイントの接続先指示手段を発動させる指示を出す手段とを有する。
【００１２】
前記無線ＩＰ電話機は、前記無線ＬＡＮアクセスポイントから指示された前記任意のＳＳＩＤに対応する回線へ再接続する再接続手段を有する。
【００１３】
これによれば、以上の手段を有することで、通話を行う無線ＩＰ電話機を、通話を行っていない端末群と切り分けることができる。さらに、無線ＩＰ電話機の接続を動的に制御することができ、通話可能な回線数を管理制御ができることで、品質が確保できない通話数になることを防ぐことが可能となる。
【発明の効果】
【００１４】
本発明によれば、無線ネットワークの帯域に見合う通話数の範囲で通話を制御するＩＰ電話ネットワークシステムを提供することができる。このため、不適切な通話接続を行わないため、ＱｏＳ（Quality Of Service）の低下を防ぐことができる。
【発明を実施するための最良の形態】
【００１５】
以下、本発明に係る無線ＬＡＮを利用したＩＰ電話ネットワークシステム及びその回線捕捉方法を実施するための最良の形態について、図面を参照して詳細に説明する。
【実施例１】
【００１６】
図１は、本発明の第１の実施例による無線ＬＡＮを利用した回線捕捉型ＩＰ電話ネットワークシステムの全体構成を示す。
【００１７】
図１に示すように、本実施例のＩＰ電話ネットワークシステムは、無線ＬＡＮ１０を介して電話機能を提供するものである。このシステムは、無線ＬＡＮ１０と有線ＬＡＮ２０とをブリッジする機能を有する無線ＬＡＮアクセスポイント３０と、無線ＬＡＮ１０に通信可能に接続される複数の無線ＩＰ電話機（図中の例では無線ＩＰ電話機１、２）４０と、有線ＬＡＮ２０に通信可能に接続されるＩＰ電話交換機５０及び複数のＩＰ電話機（図中の例ではＩＰ電話機１、２）６０とを有している。
【００１８】
図２は、無線ＬＡＮアクセスポイント３０の内部構成を示す。
【００１９】
図２に示す無線ＬＡＮアクセスポイント３０は、ＩＥＥＥ８０２．１１で規格化されている無線ＬＡＮアクセスポイントの機能を有する。図２の例では、無線ネットワークである無線ＬＡＮ１０に接続される無線ＩＦ（インターフェイス）部３１と、有線ネットワークである有線ＬＡＮ２０に接続されるＬＡＮ部３２と、無線ＩＦ部３１及びＬＡＮ部３２間に接続され、無線ＬＡＮ１０及び有線ＬＡＮ２０をブリッジするブリッジ部３３とを有する。また、無線ＩＦ部３３とブリッジ部３１との間には、帯域制御部３４が接続される。また、ブリッジ部３３には、後述するＶＩＦ（Virtual Interface）管理部３５及び接続先指示部３６が接続される。さらに、接続先指示部３６と無線ＩＦ部３１との間には、後述するフィルタ変更指示部３７及びＭＡＣフィルタ情報格納部３８が接続される。
【００２０】
このうち、無線ＩＦ部３３は、無線ＬＡＮで用いるサービス識別子であるＳＳＩＤ（Service Set Identifier：サービスセット識別子）を複数設定し、無線ＩＰ電話機４０との間でＳＳＩＤ毎に異なる回線（通信回線）を接続する複数のインターフェイス手段を有する。これら複数のインターフェイス手段として、例えば、物理的に無線のインターフェイスを複数有し、各インターフェイスに異なるＳＳＩＤを割り当てたものでもよい。本実施例では、１つの無線ＬＡＮインターフェイスに複数の仮想的なインターフェイス（Virtual Interface：以下、「ＶＩＦ」と称する）を構築し、それぞれのＶＩＦに異なるＳＳＩＤを割り当てている。図２の例では、３つのＳＳＩＤ１〜３に割り当てた３つのＶＩＦ（ＳＳＩＤ１用ＶＩＦ３１ａ、ＳＳＩＤ２用ＶＩＦ３１ｂ、ＳＳＩＤ３用ＶＩＦ３１ｂ）が利用可能となっている。
【００２１】
ＭＡＣフィルタ情報格納部３８は、ＳＳＩＤ毎に無線ＩＰ電話機４０との間の接続を許す、または拒絶するために用いるＭＡＣアドレスのフィルタ情報が格納されている。このＭＡＣアドレスのフィルタ情報に基づき、無線ＩＦ部３３の各ＶＩＦ３１ａ〜３１ｃによりによりＳＳＩＤ１〜３毎に無線ＩＰ電話機４０との間の通信データをフィルタする。
【００２２】
帯域制御部３４は、各ＳＳＩＤに予め定めた帯域幅に通信量を制限する手段を有する。例えば、帯域制御部３４は、無線ＩＦ部３３の各ＶＩＦ３１ａ〜３１ｃを介して単位時間通過するデータをモニタし、その結果、予め定めたバイト数またはパケット数を超えると、超えた分のデータを廃棄することで通信量を制御する。なお、帯域を制御する方法は、これに限らず、他の方法でもよい。
【００２３】
接続先指示部３６は、ブリッジ部３１を介してＩＰ電話交換機５０から通知される接続先変更通知を受信すると、無線ＩＰ電話機４０に対して任意のＳＳＩＤ先へ接続をさせる手段を有する。例えば、接続先指示部３６は、接続をさせる先のＳＳＩＤや、認証情報、暗号方法等の情報をパケット化して無線ＩＰ電話機４０へ送信してもよい。更に、接続先指示部３６は、無線ＩＰ電話機４０へ接続指示を出すと共に、フィルタ変更指示部３７へ、接続指示を出したＳＳＩＤと、無線ＩＰ電話機４０のＭＡＣアドレスとをＭＡＣフィルタ情報格納部３８のフィルタ情報から解除するように要求する。
【００２４】
フィルタ変更指示部３７は、接続先指示部３６からの要求を受けて、ＭＡＣフィルタ情報格納部３８のフィルタ情報を更新する。
【００２５】
ＶＩＦ管理部３５は、ブリッジ部３１を介してＳＳＩＤの使用状況をモニタする手段を有し、各ＳＳＩＤの回線に接続している無線ＩＰ電話機４０の情報をＩＰ電話交換機５０へ通知する。通知する情報は、各ＳＳＩＤの回線に接続している無線ＩＰ電話機４０のＭＡＣアドレスを通知する。無線ＬＡＮアクセスポイント３０のＭＡＣアドレスも付加してもよい。
【００２６】
図３は、ＩＰ電話交換機５０の内部構成を示す。
【００２７】
図３に示すように、ＩＰ電話交換機５０は、有線ＬＡＮ２０へ接続するＬＡＮ部５１を有し、ＩＰ電話の電話交換機能を有する呼制御部５２と、ＩＰ電話交換機５０に収容している無線ＩＰ電話機４０の情報を格納している無線ＩＰ電話機収容情報格納部５３と、無線ＩＰ電話機４０への着信や無線ＩＰ電話機４０からの発信の呼制御を行う際に接続するＳＳＩＤを指示する接続先指示部５４とを有する。
【００２８】
また、ＩＰ電話交換機５０は、無線ＩＰ電話機４０に対して使用中のＳＳＩＤを通知する使用中ＳＳＩＤ通知部５５を有し、無線ＬＡＮアクセスポイント３０の使用中ＳＳＩＤを通知する手段を有する。通知する手段は、例えば無線ＬＡＮアクセスポイント３０毎に任意のＩＰマルチキャストアドレスを設定し、マルチキャストパケットで通知してもよい。これには限定せず、ＳＮＭＰ（Simple Network Management Protocol）等の管理プロトコルを利用してもよい。
【００２９】
図４は、無線ＩＰ電話交換機４０の内部構成を示す。
【００３０】
図４に示すように、無線ＩＰ電話機４０は、無線ＬＡＮ１０のネットワークで通信するためのインターフェイスを構成する無線ＩＦ部４１と、ＩＰ電話交換機５０への登録や電話機能を有するＩＰ電話アプリケーション（ソフトウェア及びその命令を実行するプロセッサを含む。）４２と、電話機能のキー入力を行うキー操作部４３と、無線ＬＡＮアクセスポイント３０から通知される接続指示を受信する接続先指示受信部４４と、接続先指示受信部４４からの情報（無線ＬＡＮアクセスポイント３０からの接続先情報）に従った無線ＬＡＮ設定に変更し、該当するＳＳＩＤへ再接続を行う無線ＬＡＮ制御部４５とを有する。
【００３１】
また、無線ＩＰ電話機４０は、ＩＰ電話交換機５０の使用中ＳＳＩＤ通知部５５からの使用中ＳＳＩＤ情報を受信する使用中ＳＳＩＤ情報受信部４６と、受信した使用中ＳＳＩＤに対応する表示部４７とを有する。表示部４７は、例えばＬＥＤ（Light Emitting Diode）等の発光体やＬＣＤ（Liquid Crystal Display）等の液晶表示器内でもよく、これに限定しない。
【００３２】
次に、本実施例の動作を図５、図６を参照して説明する。
【００３３】
図５は、有線ＬＡＮ２０にＩＰ電話機１（６０）、ＩＰ電話交換機５０、及び無線ＬＡＮアクセスポイント３０が接続され、無線ＬＡＮ１０の端末として無線ＩＰ電話機１（４０）が接続された構成において、ＩＰ電話機１（６０）から無線ＩＰ電話機１（４０）に発信する場合の動作シーケンスを示す。
【００３４】
この場合、前段階として、ＩＰ電話機１（６０）は、ＩＰ電話交換機５０にＩＰ電話端末の登録を行う（ステップＳｔ１）。また、無線ＩＰ電話機１（４０）は、無線ＬＡＮアクセスポイント３０のＳＳＩＤ１の回線へ接続する（ステップＳｔ２、３）。そして、無線ＬＡＮアクセスポイント３０は、ＳＳＩＤ１に無線ＩＰ電話機１（６０）が接続している収容情報をＩＰ電話交換機５０へ送信する（ステップＳｔ４）。無線ＩＰ電話機１（６０）は、ＩＰ電話交換機５０へＩＰ電話の端末登録を行う（ステップＳｔ５）。
【００３５】
以上により、無線ＩＰ電話機１（４０）とＩＰ電話機１（６０）との間でＩＰ電話交換機５０によりＩＰ電話を行うことができる構成となる。
【００３６】
以下にＩＰ電話機１（６０）が無線ＩＰ電話機１（４０）へ発信し通話を行うまでの動作を説明する。
【００３７】
前記に説明した構成の状態から、ＩＰ電話機１（６０）は、無線ＩＰ電話機１（４０）と通話するために発信先を入力し発信する（ステップＳｔ６）。
【００３８】
ＩＰ電話機１（６０）からの発信を受けたＩＰ電話交換機５０は、無線ＩＰ電話機収容情報格納部５３から空きＳＳＩＤを検索する（ステップＳｔ７）。検索した結果、空きＳＳＩＤがある場合、ＩＰ電話交換機５０は、接続先指示部５４から無線ＬＡＮアクセスポイント３０へ接続先変更の指示を送る（ステップＳｔ６）。一方、検索した結果、空きＳＳＩＤがない場合、ＩＰ電話交換機５０は、ＩＰ電話機１（６０）にビジートーンを送る（ステップＳｔ９）。
【００３９】
図５の場合、無線ＬＡＮアクセスポイント３０には、ＳＳＩＤ２が空いているため、ＩＰ電話交換機５０は、ＳＳＩＤ２へ無線ＩＰ電話機１（４０）を再接続するように指示を送る（ステップＳｔ８）。これにより、無線ＬＡＮアクセスポイント３０は、ＩＰ電話交換機１（４０）の接続先変更指示を受信すると、該当するＳＳＩＤへ接続するための情報を接続先指示部３６により無線ＩＰ電話機１（４０）へ送信する（ステップＳｔ１０）。
【００４０】
更に無線ＬＡＮアクセスポイント３０は、ＳＳＩＤ２のＭＡＣフィルタ情報として無線ＩＰ電話機１（４０）のＭＡＣアドレスをＭＡＣフィルタ情報格納部３８に登録し、それ以外の無線機器が接続できないように無線ＩＦ部３１の各ＶＩＦ３１ａ〜３１ｃによりフィルタを行う。
【００４１】
無線ＩＰ電話機１（４０）は、無線ＬＡＮアクセスポイント３０からの接続情報を接続先指示受信部４４で受信し、ＳＳＩＤ２へ再接続を無線ＬＡＮ制御部４５が行う（ステップＳｔ１２、１３）。
【００４２】
無線ＬＡＮアクセスポイント３０は、ＳＳＩＤ２に無線ＩＰ電話機１（４０）を収容したことをＩＰ電話交換機５０へ通知する（ステップＳｔ１４）。
【００４３】
ＩＰ電話交換機５０は、無線ＬＡＮアクセスポイント３０からの情報から無線ＩＰ電話機収容情報格納部５３の情報を更新する。本実施例では、無線ＩＰ電話機収容情報として、ＳＳＩＤ１に関連づけ（接続中）していた無線ＩＰ電話機１（４０）の情報をＳＳＩＤ２に変更する。
【００４４】
その後、ＳＳＩＤ２に無線ＩＰ電話機が移ったことを確認できた時点で、ＩＰ電話交換機５０は、ＩＰ電話の交換手順を行う（ステップＳｔ１５〜１８）。なお、通話手順は、特に特定せず、ＳＩＰ（Session Initiation Protocol）やＨ３２３、ＭＥＧＡＣＯ（MEdia GAteway COntrol）等のＩＰ電話のプロトコルの手順でよい。
【００４５】
次に、図６を参照して通話回線（ＳＳＩＤ）が空いていない場合の動作を説明する。
【００４６】
図６は、図６の構成にＩＰ電話機２（６０）と無線ＩＰ電話機２（４０）を追加している。
【００４７】
前記と同様の手順により、ＩＰ電話機１（６０）と無線ＩＰ電話機１（４０）がＳＳＩＤ２を使用して通話を行っている（ステップＳｔ２１〜３４）。これにより、無線ＬＡＮアクセスポイント３０は、ＳＳＩＤ２の新規接続を拒否する状態に移行する（ステップＳｔ３５）。
この状態で、ＩＰ電話機２（６０）が無線ＩＰ電話機２（４０）に発信を行う（ステップＳｔ）と、ＩＰ電話交換機５０は、ＩＰ電話機２（６０）の発信を受信して、無線ＩＰ電話機収容情報格納部５３から空きＳＳＩＤを検索する（ステップＳｔ３７）。検索した結果、空き回線（ＳＳＩＤ）が無いため、ＩＰ電話交換機５０は、ＩＰ電話機２（６０）にビジートーンを送出する（ステップＳｔ３８）。これにより、ＩＰ電話機２（６０）は、無線ＩＰ電話機２（４０）への発信に対する応答としてビジートーンを鳴らす（ステップＳｔ３９）。よって、無線ＩＰ電話機２（４０）には、着信は入らない。
【００４８】
以上の動作により、本実施例では、ＳＳＩＤを１つの電話回線と見立て、通話を行う際に空いている電話回線（ＳＳＩＤ）を確保してから発信手順が動作するため、通話品質に不適切な通話接続を行わないことができる。
【００４９】
次に、ＩＰ電話交換機５０から無線ＩＰ電話機４０に使用中ＳＳＩＤを通知する場合の動作を説明する。
【００５０】
この場合、ＩＰ電話交換機５０は、無線ＩＰ電話機４０が発信する際の回線捕捉や、無線ＩＰ電話機４０への着信のための回線捕捉を行うと、無線ＩＰ電話機収容情報格納部５３に使用中ＳＳＩＤを格納する。格納された使用中ＳＳＩＤの情報は、使用中ＳＳＩＤ通知部５５により、収容している無線ＩＰ電話機４０へ個別または放送で通知される。
【００５１】
無線ＩＰ電話機４０は、ＩＰ電話交換機５０からの使用中ＳＳＩＤ情報を使用中ＳＳＩＤ情報受信部４６で受信すると、表示部４７の予め割り当てたＳＳＩＤの内、受信された使用中ＳＳＩＤ情報に対応するＳＳＩＤに対し表示の点灯を行う。
【００５２】
以上の動作により、無線ＩＰ電話機４０を使用するユーザが使用中の回線を視覚的に認識ができ、空き回線の有無を知ることができる。
【００５３】
従って、本実施例によれば、無線ＬＡＮアクセスポイント３０が、無線ＬＡＮ１０のサービス識別子であるＳＳＩＤを複数有し、それぞれのＳＳＩＤに対して収容する無線ＩＰ電話機４０を含む無線端末を任意かつ動的に変更する。また、無線ＩＰ電話機４０は、無線アクセスポイント３０またはＩＰ電話交換機５０からの指示に従ったＳＳＩＤに接続する。さらに、ＩＰ電話交換機５０は、各無線ＬＡＮアクセスポイント３０のＳＳＩＤの使用状況（空き状況）を把握し、ＩＰ電話機を介した通話の呼制御を行う。こうすることで、無線ネットワークの帯域幅に対して適切な通話数の範囲で通話を制御するＩＰ電話ネットワークシステムを提供することができる。
【００５４】
これにより、不適切な通話接続を行わないため、ベストエフォート型の通信を行う無線ＬＡＮを利用した無線ＩＰ電話システムにおいて、無線ＩＰ電話機を複数収容し、無線ＩＰ電話機が一斉に通話した場合にＱｏＳが低下するという事態を大幅に低減することができる。また、無線ＬＡＮ区間を電話回線として扱うことができるようになり、無線ＩＰ電話機システムの構築設計が容易になる。さらに、ユーザ操作において、無線ＩＰ電話機で通話可能か否かを明示することできるため、通話不能時に発信を行うことを防ぎ、無線ＬＡＮ区間の通信量増加を防ぐことができる。
【実施例２】
【００５５】
次に、本発明の第２の実施例を説明する。本実施例は、第１の実施例の構成のうち下記の点が相違している。
【００５６】
無線ＩＰ電話機４０は、ＳＳＩＤに関連づけされた一つまたは複数の無線内線ボタンをキー操作部４３に有している。この場合、接続先指示受信部４４は、無線ＬＡＮアクセスポイント３０からの接続指示を受信すると、表示部４７に接続するＳＳＩＤを通知する手段を有し、表示部４７は、該当するＳＳＩＤの表示を点灯させる手段を有する。無線内線ボタンに表示機能を付加してこれを点灯させてもよい。更に、無線内線ボタンを押下した場合、ＩＰ電話アプリケーション４２は、該当するＳＳＩＤへ接続する要求をＩＰ電話交換機５０へ行う手段を有する。ＩＰ電話交換機５０は、無線ＩＰ電話機４０からのＳＳＩＤへ接続する要求を呼制御部５２で受信すると、無線ＩＰ電話機収容情報格納部５３に要求を行った無線ＩＰ電話機４０の情報を登録し、接続先指示部５４が接続先指示を無線ＬＡＮアクセスポイント３０へ送信する。これにより、第１の実施例の効果に加え、ユーザは予め電話回線（ＳＳＩＤ）を捕捉してから、ＩＰ電話の発信を行うことができるという効果が得られる。
【実施例３】
【００５７】
次に、本発明の第３の実施例を説明する。本実施例は、第１の実施例の構成のうち次の点が相違している。すなわち、無線ＬＡＮアクセスポイント３０は、無線ＩＦ部３１を複数有し、各無線ＩＦ部３１にＳＳＩＤを割り当てるように構成している。これにより、第１の実施例の効果に加え、１つの回線（ＳＳＩＤ）の帯域を増やすことができ、さらに物理的に各ＳＳＩＤの帯域が分かれているため、帯域の制御が容易になるという効果が得られる。
【実施例４】
【００５８】
次に、本発明の第４の実施例を説明する。本実施例は、第１の実施例の構成のうち下記の点が相違している。
【００５９】
無線ＬＡＮアクセスポイント３０は、一つまたは複数の通話回線用ＳＳＩＤと１つの待機収容用のＳＳＩＤを有している。この場合、無線ＩＰ電話機４０は、通話を行っていない待機状態の場合には待機用ＳＳＩＤへ接続を行う。また、前述の無線内線ボタンやＩＰ電話の発信操作を行った場合、ＩＰ電話交換機４０から指示される接続先ＳＳＩＤは、通話回線用ＳＳＩＤが通知される。これによれば、待機用ＳＳＩＤと通話用ＳＳＩＤを分けることで、待機用ＳＳＩＤには多数のＩＰ電話を接続させ、通話時には接続を制限したＳＳＩＤに接続することが可能となる。これにより、第１の実施例の効果に加え、無線ＬＡＮアクセスポイントに多くのＩＰ電話機を収容することができるという効果が得られる。
【００６０】
なお、本発明は、代表的に例示した上述の実施例に限定されるものではなく、当業者であれば、特許請求の範囲の記載内容に基づき、その要旨を逸脱しない範囲内で種々の態様に変形、変更することができる。これらの変更例や変形例も本発明の権利範囲に属するものである。
【産業上の利用可能性】
【００６１】
本発明は、ベストエフォート型のネットワーク上で電話機能を提供するシステムや、ＩＥＥＥ８０２．１１で規格化されている無線ＬＡＮを介して電話機能を提供するシステムなどの用途にも適用できる。
【図面の簡単な説明】
【００６２】
【図１】本発明の第１の実施例によるＩＰ電話ネットワークシステムの全体構成を示すシステム図である。
【図２】図１に示す無線ＬＡＮアクセスポイントの内部構成を示す概略ブロック図である。
【図３】図１に示すＩＰ電話交換機の内部構成を示す概略ブロック図である。
【図４】図１に示す無線ＩＰ電話機の内部構成を示す概略ブロック図である。
【図５】第１の実施例によるＩＰ電話ネットワークシステムにおいて、通話回線が空いている場合の動作を説明するシーケンス図である。
【図６】第１の実施例によるＩＰ電話ネットワークシステムにおいて、通話回線が使用中の場合の動作を説明するシーケンス図である。
【符号の説明】
【００６３】
１０  無線ＬＡＮ
２０  有線ＬＡＮ
３０  無線ＬＡＮアクセスポイント
３１  無線ＩＦ部
３２  ＬＡＮ部
３３  ブリッジ部
３４  帯域制御部
３５  ＶＩＦ管理部
３６  接続先指示部
３７  フィルタ変更指示部
３８  ＭＡＣフィルタ情報格納部
４０  ＩＰ電話交換機
４１  無線ＩＦ部
４２  ＩＰ電話アプリケーション
４３  キー操作部
４４  接続先指示受信部
４５  無線ＬＡＮ制御部
４６  使用中ＳＳＩＤ情報受信部
４７  表示部
５０  無線ＩＰ電話機
５１  ＬＡＮ部
５２  呼制御部
５３  無線ＩＰ電話機収容情報格納部
５４  接続先指示部
５５  使用中ＳＳＩＤ通知部
６０  ＩＰ電話機
【図１】
0004709025.tif 000002
【図２】
0004709025.tif 000003
【図３】
0004709025.tif 000004
【図４】
0004709025.tif 000005
【図５】
0004709025.tif 000006
【図６】
0004709025.tif 000007